(57)【特許請求の範囲】
【請求項１】
ハウジングと、前記ハウジングに備えられた一対のコンタクトと、を有し、一方の機器と他方の機器とを接続させるコネクタにおいて、
前記コンタクトは、それぞれ、前記一方の機器が有する雄端子及び前記他方の機器が有する雄端子と接続される、一対の雌端子部と、前記一対の雌端子部が互いに対して平行になるように繋がれた本体部と、を有し、
前記本体部と前記一対の雌端子部が一体となるように形成されており、
前記ハウジングは、上面部と底面部を有し、前記上面部には、前記一方の雄端子が挿入される第１挿入口が形成され、前記底面部には、前記他方の雄端子が挿入される第２挿入口が形成されており、
前記第１挿入口と前記第２挿入口は、前記コンタクト収容部に収容された前記コンタクトの前記雌端子部と対応する位置に形成されていることを特徴とするコネクタ。
【請求項２】
前記雌端子部は、前記本体部に対して繋ぎ部により繋がれた中央部分と、当該中央部分から前記本体部の長手方向両側に向かって延設された一対の端子片と、を有し、
前記一対の端子片は、先端部分がそれぞれ前記中央部分上に向かうように折り曲げられ、
前記端子片の先端部分と前記中央部分の面との間に前記雄端子が挿入されることを特徴とする請求項１に記載のコネクタ。
【請求項３】
前記雌端子部は、それぞれ前記雄端子が挿入されることで、前記端子片が広がる方向に移動されることを特徴とする請求項２に記載のコネクタ。
【請求項４】
前記繋ぎ部は、前記本体部と各前記雌端子部が直交して配置されるように屈曲されていることを特徴とする請求項１〜３のいずれかに記載のコネクタ。
【請求項５】
前記ハウジングは、前記コンタクトが収容されるコンタクト収容部を有し、
前記コンタクトの本体部は板状体で形成され、少なくとも前記本体部の前記ハウジングに挿入される側の端部には、前記ハウジングの前記コンタクト収容部に形成された案内溝に案内される案内部が形成されていることを特徴とする請求項１〜４のいずれかに記載のコネクタ。
【請求項６】
前記本体部には、前記ハウジングの前記コンタクト収容部に収容された際に係止される係止部が少なくとも一つ形成されていることを特徴とする請求項５に記載のコネクタ。
【請求項７】
前記ハウジングは、前記一方の雄端子が挿入される第１挿入口と、前記他方の雄端子が挿入される第２挿入口が形成されており、
前記第１挿入口及び前記第２挿入口は、前記コンタクト収容部に収容された前記コンタクトの前記雌端子部と対応する位置に形成されていることを特徴とする請求項１〜６のいずれかに記載のコネクタ。
【請求項８】
前記ハウジングの前記第１挿入口及び前記第２挿入口には、前記一方の雄端子及び前記他方の雄端子が挿入される側にテーパが形成されていることを特徴とする請求項７に記載のコネクタ。 
【発明の詳細な説明】
【技術分野】
【０００１】
本発明は、一方の機器と、他方の機器とを接続させるコネクタ及びコンタクト、コンタクト連続体、コンタクトの製造方法に関し、詳しくは、接続を容易に行うことができ、また、部品点数を減らし、さらに、製造工程を減らすことができるコネクタ及びコンタクト、コンタクト連続体、コンタクトの製造方法に関する。
【背景技術】
【０００２】
従来、一方側の機器、例えばモータの雄端子と、他方側の機器、例えば、装置の内部に設けられた雄端子とを接続させる場合は、それぞれの雄端子との間はケーブルによって繋がれている。このような発明として、例えば、下記特許文献１には、ケーブルの端末に圧着固定されて相手方端子と電気的に接続される圧着端子の発明が開示されている。下記特許文献１に開示された圧着端子によれば、板材よりなる圧着端子であって、相手方端子と接触するばね片と、ケーブルが圧着固定される圧着部と、断面Ｕ字形状をなすＵ字部とを備え、前記ばね片は折り曲げ部を介して前記Ｕ字部のＵ字の一端に連結されて前記Ｕ字部のＵ字の一方の直線部に沿うように延長形成され、前記圧着部は前記Ｕ字部のＵ字の他方の直線部から延長形成され、前記ばね片と前記Ｕ字部のＵ字の一方の直線部との間に前記相手方端子が挿入されるとしている。
【先行技術文献】
【特許文献】
【０００３】
【特許文献１】特開２０１５−２２０１９０号公報
【発明の概要】
【発明が解決しようとする課題】
【０００４】
上記特許文献１の圧着端子では、ケーブルが圧着された圧着端子を雄端子ごとに取り付ける必要があるため、製造工程が増え、また、製造費用が多くなる課題がある。また、特許文献１の圧着端子では、相手方の雄端子に孔が設けられている必要があり、汎用性が乏しい。
【０００５】
本発明は、このような従来技術が抱える課題を解決するためになされたもので、一方の雄端子と他方の雄端子の接続を容易に行うことができ、また、部品点数を減らし、さらに、製造工程を少なくすることができるコネクタ及びコンタクト、コンタクト連続体、コンタクトの製造方法を提供することを目的とする。
【課題を解決するための手段】
【０００６】
上記課題を解決するために、本発明の第１の態様のコネクタは、ハウジングと、前記ハウジングに備えられた一対のコンタクトと、を有し、一方の機器と他方の機器とを接続させるコネクタにおいて、
前記コンタクトは、それぞれ、前記一方の機器が有する雄端子及び前記他方の機器が有する雄端子と接続される、一対の雌端子部と、前記一対の雌端子部が互いに対して平行になるように繋がれた本体部と、を有し、
前記本体部と前記一対の雌端子部が一体となるように形成されており、
前記ハウジングは、上面部と底面部を有し、前記上面部には、前記一方の雄端子が挿入される第１挿入口が形成され、前記底面部には、前記他方の雄端子が挿入される第２挿入口が形成されており、
前記第１挿入口と前記第２挿入口は、前記コンタクト収容部に収容された前記コンタクトの前記雌端子部と対応する位置に形成されていることを特徴とする。 
【０００７】
また、第２の態様のコネクタは、第１の態様のコネクタにおいて、前記雌端子部は、前記本体部に対して繋ぎ部により繋がれた中央部分と、当該中央部分から前記本体部の長手方向両側に向かって延設された一対の端子片と、を有し、
前記一対の端子片は、先端部分がそれぞれ前記中央部分上に向かうように折り曲げられ、
前記端子片の先端部分と前記中央部分の面との間に前記雄端子が挿入されることを特徴とする。 
【０００８】
また、第３の態様のコネクタは、第２の態様のコネクタにおいて、前記雌端子部は、それぞれ前記雄端子が挿入されることで、前記端子片が広がる方向に移動されることを特徴とする。
【０００９】
また、第４の態様のコネクタは、第１〜第３のいずれかの態様のコネクタにおいて、前記繋ぎ部は、前記本体部と各前記雌端子部が直交して配置されるように屈曲されていることを特徴とする。
【００１０】
また、第５の態様のコネクタは、第１〜第４のいずれかの態様のコネクタにおいて、前記ハウジングは、前記コンタクトが収容されるコンタクト収容部を有し、
前記コンタクトの本体部は板状体で形成され、少なくとも前記本体部の前記ハウジングに挿入される側の端部には、前記ハウジングの前記コンタクト収容部に形成された案内溝に案内される案内部が形成されていることを特徴とする。
【００１１】
また、第６の態様のコネクタは、第５の態様のコネクタにおいて、前記本体部には、前記ハウジングの前記コンタクト収容部に収容された際に係止される係止部が少なくとも一つ形成されていることを特徴とする。
【００１２】
また、第７の態様のコネクタは、第１〜第６の態様のコネクタにおいて、前記ハウジングは、前記一方の雄端子が挿入される第１挿入口と、前記他方の雄端子が挿入される第２挿入口が形成されており、
前記第１挿入口及び前記第２挿入口は、前記コンタクト収容部に収容された前記コンタクトの前記雌端子部と対応する位置に形成されていることを特徴とする。
【００１３】
また、第８の態様のコネクタは、第７の態様のコネクタにおいて、前記ハウジングの前記第１挿入口及び前記第２挿入口には、前記一方の雄端子及び前記他方の雄端子が挿入される側にテーパが形成されていることを特徴とする。
【発明の効果】
【００１７】
第１の態様のコネクタによれば、部品点数を減らすことができ、また、組み立てが容易に行え、且つ、一方の機器と他方の機器の接続を簡単に行うことができる。
【００１８】
また、第２の態様のコネクタによれば、雄端子と雌端子部との接圧を高くすることができ、確実な接続が行なえるようになる。
【００１９】
また、第３の態様のコネクタによれば、雄端子と雌端子部との接圧を高くすることができ、確実な接続が行なえるようになる。
【００２０】
第４の態様のコネクタによれば、コンタクトの本体部と雌端子部が直交して配置されることにより、小型化及び低背化を図ることができる。
【００２１】
また、第５の態様のコネクタによれば、コンタクトとハウジングの組み立てを容易に行うことができる。
【００２２】
また、第６の態様のコネクタによれば、ハウジングに収容されたコンタクトとの位置決め及び抜け止めが、簡単な構成で行うことができる。
【００２３】
また、第７の態様のコネクタによれば、一方の機器と他方の機器との取り付けを円滑に行うことができる。
【００２４】
また、第８の態様のコネクタによれば、一方の機器と他方の機器との取り付けをより円滑に行うことができる。
【図面の簡単な説明】
【００２８】
【図１】図１Ａは実施形態１に係るコネクタにモータ及び装置を取り付けた状態を示す斜視図であり、図１Ｂは分解図である。
【図２】図２Ａは実施形態１に係るコネクタの一方から見た斜視図であり、図２Ｂは他方から見た斜視図である。
【図３】図３Ａは実施形態１に係るコネクタの一方から見た分解斜視図であり、図３Ｂは他方から見た分解斜視図である。
【図４】図４Ａは実施形態１に係るコンタクトの一方から見た斜視図であり、図４Ｂは他方から見た斜視図である。
【図５】図５Ａは実施形態１に係るコンタクトの正面図であり、図５Ｂは平面図であり、図５Ｃは一方から見た側面図である。
【図６】実施形態１に係るコンタクトの展開図である。
【図７】図７Ａは実施形態１に係るハウジングの一方から見た斜視図であり、図７Ｂは他方から見た斜視図である。
【図８】図８Ａは実施形態１に係るコネクタの正面図であり、図８Ｂは実施形態１のコネクタの組立工程における図８ＡのIXB−IXB線での断面図であり、図８Ｃは組み立てられた状態の図８Ｂに対応する断面図である。
【図９】図９Ａは実施形態２に係るコネクタにモータ及び装置を取り付けた状態を示す斜視図であり、図９Ｂは分解図である。
【図１０】図１０Ａは実施形態２に係るコネクタの一方から見た斜視図であり、図１０Ｂは他方から見た斜視図である。
【図１１】図１１Ａは実施形態２に係るコネクタの一方から見た分解斜視図であり、図１１Ｂは他方から見た分解斜視図である。
【図１２】図１２Ａは実施形態２に係るコンタクトの一方から見た斜視図であり、図１２Ｂは他方から見た斜視図である。
【図１３】図１３Ａは実施形態２に係るコンタクトの正面図であり、図１３Ｂは平面図であり、図１２Ｃは一方から見た側面図である。
【図１４】実施形態２に係るコンタクトの展開図である。
【図１５】図１５Ａは実施形態２に係るハウジングの一方から見た斜視図であり、図１５Ｂは他方から見た斜視図である。
【図１６】図１６Ａは実施形態２に係るコネクタの正面図であり、図１６Ｂは実施形態２のコネクタの組立工程における図１６ＡのXVIB−XVIB線での断面図であり、図１６Ｃは組み立てられた状態の図１６Ｂに対応する断面図である。
【図１７】図１７Ａ〜図１７Ｄは実施形態２のコネクタとモータ及び装置とを取り付ける工程を示した斜視図である。
【図１８】図１８Ａは実施形態３に係るコネクタにモータ及び装置を取り付けた状態を示す斜視図であり、図３Ｂは分解図である。
【図１９】図１９Ａは実施形態３に係るコネクタの一方から見た斜視図であり、図１９Ｂは他方から見た斜視図である。
【図２０】図２０Ａは実施形態３に係るコネクタの一方から見た分解斜視図であり、図２０Ｂは他方から見た分解斜視図である。
【図２１】図２１Ａは実施形態３に係るハウジングの一方から見た斜視図であり、図２１Ｂは他方から見た斜視図である。
【図２２】図２２Ａは実施形態３に係るコネクタの正面図であり、図２２Ｂは実施形態３のコネクタの組立工程における図２２ＡのXXIIB−XXIIB線での断面図であり、図２２Ｃは組み立てられた状態の図２２Ｂに対応する断面図である。
【図２３】図２３Ａ〜図２３Ｄは実施形態３のコネクタとモータ及び装置とを取り付ける工程を示した斜視図である。
【発明を実施するための形態】
【００２９】
以下、図面を参照して本発明の各実施形態を説明する。但し、以下に示す各実施形態は、本発明の技術思想を具体化するためのコンタクト及びコネクタを例示するものであって、本発明をこれに特定することを意図するものではなく、本発明は特許請求の範囲に含まれるその他の実施形態のものにも等しく適応し得るものである。
【００３０】
［実施形態１］
図１〜図８を参照して、本発明の実施形態１に係るコネクタ１０及びコネクタ１０に装着されるコンタクト１２を説明する。実施形態１のコネクタ１０は、図１に示すように、一方の機器としての、例えばモータ７２を、他方の機器としての、例えば装置７６の内部に取り付ける際に、モータ７２と装置７６との間に設けられ、これらを接続させるために用いられるものである。
【００３１】
このとき、実施形態１のコネクタ１０は、モータ７２に設けられた一方の雄端子７４、７４と、装置７６に設けられた他方の雄端子８０、８０とがそれぞれ接続されることで、装置７６とモータ７２が繋がれるようになる。
【００３２】
また、実施形態１のコネクタ１０では、図１に示すように、コネクタ１０の一方側、例えば、上方側からモータ７２の一方の雄端子７４、７４がそれぞれ接続され、他方側、例えば、下方側から装置７６の他方の雄端子８０、８０がそれぞれ接続されるようになる。
【００３３】
実施形態１のコネクタ１０は、図１〜図３に示すように、モータ７２側の一方の雄端子７４、７４と、装置７６側の他方の雄端子８０、８０とそれぞれ接続される一対のコンタクト１２、１２と、この一対のコンタクト１２、１２が収容されるコンタクト収容部５８、５８がそれぞれ内部に形成されたハウジング４０とで構成されている。
【００３４】
このとき、実施形態１の一対のコンタクト１２、１２は、それぞれ、モータ７２の一方の雄端子７４、７４の片方と装置７６の他方の雄端子８０、８０の片方と接続されるようになる。なお、実施形態１のコネクタ１０では、モータ７２側の一方の雄端子７４、７４と装置７６側の他方の雄端子８０、８０は、前後方向、すなわち、各コンタクト１２、１２の長手方向に沿って配置されるようになっている。
【００３５】
まず、実施形態１のコンタクト１２について説明する。なお、実施形態１の一対のコンタクト１２、１２は、それぞれ共通の形状となっており、向かい合わせて配置されている。そこで、一方のコンタクト１２を代表して説明する。
【００３６】
実施形態１のコンタクト１２は、図３〜図６に示すように、モータ７２側の一方の雄端子７４の片方又は装置７６側の他方の雄端子８０の片方が接続される一対の雌端子部２６、２６と、これらの雌端子部２６、２６がそれぞれ繋がれる本体部１４とを有し、金属材料で一体に形成されている。このコンタクト１２は、金属製の板体を打ち抜き、折り曲げ加工等を行なうことで形成されている。なお、図６は、コンタクト１２の折り曲げ加工をする前の展開した状態のコンタクト１２'を示している。
【００３７】
コンタクト１２の一対の雌端子部２６、２６と、本体部１４とは、それぞれ繋ぎ部３８により繋がれている。この繋ぎ部３８は、各雌端子部２６、２６の幅に比べ狭い幅で形成されている。そして、この繋ぎ部３８が本体部１４に対してそれぞれ同じ方向、実施形態１では、後述する底面１８側に向かって略直角に折り曲げられており、雌端子部２６、２６と本体部１４とがそれぞれ略直角に配置される構成となっている。このように、コンタクト１２の本体部１４と各雌端子部２６、２６が直交して配置されることにより、コネクタ１０の小型化及び低背化を図ることができる。また、実施形態１のコンタクト１２では、各雌端子部２６、２６は、それぞれ本体部１４の長手方向の側面のうち一方側の側面に形成されている。
【００３８】
本体部１４は、所定面積の上面１６及び底面１８を有し、所定の厚さを有する略矩形状の板体で形成されている。この本体部１４の長手側の側面の一方に一対の繋ぎ部３８がそれぞれ形成されている。このとき、繋ぎ部３８は、本体部１４の長手側の中央部分を基準として対称となるように形成されている。
【００３９】
また、本体部１４の長手側の両側面の両端部には、複数、実施形態１では４つの案内部２０がそれぞれ形成されている。この案内部２０は、本体部１４の短手方向に沿って本体部１４から外側に向かって延設された小片であって、繋ぎ部３８と同じ方向の底面１８側に向かって例えば曲面状に折り曲げられてそれぞれ形成されている。この案内部２０は、コンタクト１２をハウジング４０に挿入される側は、挿入の際にガイドとして用いられると共に、反対側の案内部２０は、ハウジング４０への挿入時にコンタクト１２を押圧するための部分となる。
【００４０】
また、本体部１４の長手方向の軸線上には、底面１８側に突出するように屈曲されて形成された一対の係止部２２、２２が設けられている。この係止部２２、２２はコンタクト１２をハウジング４０へ取り付けたときに、ハウジング４０のコンタクト収容部５８内で係止され、抜け止めがされる部分である。なお、実施形態１では２つの係止部２２が設けられており、これらは斜め方向に立設された係止片が本体部１４の中央部に対して対称となるように対向して形成されている。
【００４１】
また、一対の雌端子部２６、２６は、それぞれ同じ形状で形成されており、各雌端子部２６、２６は、矩形状の板体を繋ぎ部３８からの仮想線上を挟んで両側の先端部分３４、３４が向かい合うように折り曲げられた一対の端子片３０、３０で形成されている。
【００４２】
各雌端子部２６、２６の端子片３０、３０は、それぞれ曲面状を有するように形成され、繋ぎ部３８からの仮想線上を挟んで対称に形成されている。そして、曲面状の端子片３０で囲まれた内側に各雄端子７４、８０が挿入されるようになっている。また、各端子片３０の本体部１４の長手方向に沿った方向の各先端部分３４、３４は、繋ぎ部３８からの仮想線上の中央部分３６に接しない程度の隙間３２が設けられている。そして、この隙間３２にモータ７２及び装置７６の各雄端子７４、８０が挿入されることで各端子片３０、３０が広がる方向に弾性変形され、押し広げられることで挿入されるようになり、且つ、弾性変形された各端子片３０、３０により挿入された各雄端子７４、８０が押圧されるようになっている。このような構成とすることで、各雌端子部２６、２６は、高い接圧が得られ、雄端子７４、８０と確実に接続させることができるようになる。
【００４３】
また、図５に示すように、雌端子部２６、２６の繋ぎ部３８からの仮想線上の中央部分３６は、各端子片３０、３０側に盛り上がり、湾曲するように形成されている。このような構成とすることで、雄端子との接続をより確実に行うことができる。
【００４４】
なお、実施形態２のコンタクト１２は、製造される段階では、実施形態１のコンタクトと同様に、１枚の長尺な板体に連続した状態のコンタクト連続体で形成されており、このコンタクト連続体の所定の部分で分断することで、１つのコンタクト１２が製造される。このとき、コンタクト１２の本体部１４が連続して繋がれたようにコンタクト連続体を形成し、この連続して繋がれた本体部１４を、コンタクト１２を製造する際に、例えば、製造装置において搬送するための繋ぎ桟として用いることができる。そして、このコンタクト連続体の連続した本体部を所定の長さ及び所定の位置で切断して一つのコンタクトとして製造することができる。このようにすることで、材料を無駄にすることなく、コンタクトを製造することができる。また、本体部の係止部を形成するために形成された開口は、コンタクトの製造の際に移動させるための引っ掛け部として使用することができる。
【００４５】
次に、図２、図３、図７を参照して、実施形態１のハウジング４０について説明する。実施形態１のハウジング４０は、各コンタクト１２、１２が挿入される開口部６４、６４が形成された正面部４２と、正面部４２と対向する後面部４４と、モータ７２が載置される側の上面部４６と、上面部４６に対向し、装置７６側に設けられる底面部５０と、一方の側面部５４及び他方の側面部５６とを有するブロック体で構成されており、例えば、樹脂材料で形成されている。
【００４６】
また、ハウジング４０の内部には、各コンタクト１２、１２が収容されるコンタクト収容部５８、５８がそれぞれ形成されている。このコンタクト収容部５８、５８は、ハウジング４０の一方の側面部５４側及び他方の側面部５６側であって、ハウジング４０の正面部４２側から後面部４４側に向かう方向に沿ってそれぞれ形成されている。そのため、ハウジング４０のコンタクト収容部５８、５８が形成された部分には、底面部５０側が突出された突出部４１、４１がそれぞれ形成されており、この突出部４１、４１の内部がコンタクト収容部５８、５８となっている。
【００４７】
なお、コンタクト収容部５８、５８は、挿入される際のコンタクト１２、１２に対応した形状となっており、ハウジング４０の突出部４１、４１には、コンタクト１２、１２の各雌端子部２６、２６が収容されるようになり、突出部４１、４１と隣接し、ハウジング４０の突出部４１より低く形成された中央部分には、コンタクト１２、１２の本体部１４が収容されるようになる。
【００４８】
また、ハウジング４０には、上面部４６から底面部５０にかけて、所定の形状、例えば円形に貫通された貫通孔６６が形成されている。この貫通孔６６は、コネクタ１０に取り付けられるモータ７２の一部が貫通される部分となる。なお、この貫通孔６６は、コンタクト収容部５８、５８と重ならない位置に形成されている。
【００４９】
ハウジング４０の正面部４２は、一方の側面部５４及び他方の側面部５６側の突出部４１、４１が形成された部分が、突出部４１、４１が形成されていない他の部分より高くなるように形成されている。そして、正面部４２には、コンタクト収容部５８、５８に繋がる開口部６４、６４がそれぞれ形成されている。この開口部６４、６４は、コンタクト収容部５８、５８に対応するようにハウジング４０の正面部４２の突出部４１、４１が形成された一方の側面部５４側及び他方の側面部５６側が広く、突出部４１、４１に隣接する中央部分が狭くように形成されている。
【００５０】
また、開口部６４、６４は、コンタクト収容部５８、５８と同様に収容されるコンタクト１２、１２の形状に応じた形状となっており、略Ｌ字状、若しくは略逆Ｌ字状になっている。すなわち、開口部６４、６４において、コンタクト１２、１２の各雌端子部２６、２６が挿入される部分と、コンタクト１２、１２の本体部１４が挿入される部分とを有するように形成されており、ハウジング４０の内部のコンタクト収容部５８に繋がっている。なお、開口部６４、６４の本体部１４が挿入される狭い部分には、後述するコンタクト１２、１２の本体部１４に形成された各案内部２０及び係止部２２が挿通されるような突起及び窪みが形成され、コンタクト収容部５８内にまで形成されている。
【００５１】
ハウジング４０の後面部４４は、正面部４２の形状と同様に、一方の側面部５４側及び他方の側面部５６側が底面部５０側に突出された突出部４１、４１が形成されていることで高くなり、突出部４１、４１が形成されていない中央部分が低くなるようにされている。後面部４４は、コンタクト収容部５８、５８の後端側となり開口はされておらず閉塞されており、平面状に形成されている。なお、後面部４４の上面部４６側は、この上面部４６と平行に突出部４１、４１よりも延設されている。
【００５２】
ハウジング４０の上面部４６は、モータ７２が載置される側であり、平面状に形成されている。また、上面部４６の略中央部分には、モータ７２の一部が貫通される貫通孔６６が形成されている。さらに、上面部４６の一方の側面部５４及び他方の側面部５６側には、モータ７２の一対の一方の雄端子７４、７４が挿入される一対の第１挿入口４８、４８が、それぞれハウジング４０のコンタクト収容部５８、５８に到達するように貫通して形成されている。この第１挿入口４８、４８は、後面部４４側に形成されている。なお、第１挿入口４８、４８の上面部４６側は、一方の雄端子７４、７４が挿入されやすいようにテーパがそれぞれ形成されている。
【００５３】
また、ハウジング４０の底面部５０は、突出部４１、４１が形成された一方の側面部５４側と他方の側面部５６側が高くなり、中央部分３６が低くなる段状に形成されている。底面部５０の略中央部分には、貫通孔６６が開口されており、貫通されたモータ７２が突出された状態で配置されるようになる。また、底面部５０の中央部分より高く形成された一方の側面部５４側及び他方の側面部５６側には、装置７６の一対の他方の雄端子８０、８０が挿入される第２挿入口５２、５２が、それぞれコンタクト収容部５８、５８まで到達するように貫通して形成されている。この第２挿入口５２、５２は上面部４６に形成された第１挿入口４８、４８に比べ正面部４２側に形成されている。また、第２挿入口５２、５２の底面部５０側は、他方の雄端子８０、８０が挿入されやすいようにテーパがそれぞれ形成されている。
【００５４】
また、底面部５０の低く形成された部分の各突出部４１、４１側には、コンタクト収容部５８、５８まで貫通された係止孔６８、６８がそれぞれ形成されている。この係止孔６８、６８は、コンタクト１２、１２がハウジング４０のコンタクト収容部５８、５８に収容された際に、コンタクト１２、１２の本体部１４に形成された係止部２２、２２の一方が嵌入されると共に係止され、位置決め及び抜け止めがされる部分となる。
【００５５】
一方の側面部５４及び他方の側面部５６は、それぞれ、突出部４１、４１が形成されることで、所定の高さを有し、平面状に形成されている。
【００５６】
また、ハウジング４０の内部に形成されたコンタクト収容部５８、５８は、図７、図８に示すように、ハウジング４０の突出部４１、４１が形成された部分に、コンタクト１２、１２の雌端子部２６、２６がそれぞれ挿入され、収容されるようになっており、また、ハウジング４０の突出部４１、４１より低く形成された部分であって、突出部４１、４１側には、それぞれコンタクト１２、１２の本体部１４が挿入され、収容されるようになっている。
【００５７】
なお、この本体部１４が挿入されるコンタクト収容部５８の狭い部分には、コンタクト１２、１２の本体部１４に形成された案内部２０が挿入される一対の案内溝６０、６０が形成され、この案内溝６０、６０の間には、コンタクト１２、１２の本体部１４に形成された係止部２２が挿入される係止溝６２がそれぞれ形成されており、この案内溝６０、６０と係止溝６２との境には、突起部７０、７０がそれぞれ形成されている。また、係止溝６２には、ハウジング４０の底面部５０まで貫通された係止孔６８、６８がそれぞれ形成されている。なお、この係止孔６８、６８の開口部６４側には、ハウジング４０の上面部４６側から底面部５０側に突出し、コンタクト収容部５８、５８の一部が盛り上がり、狭くなるように形成された凸部６３が設けられている。そして、係止孔６８、６８にコンタクト１２の係止部２２の一方が嵌まり込むことで、凸部６３に係止されるようになる。
【００５８】
次に、主に図２、図３、図８を参照して実施形態１のコネクタ１０の組み立てについて説明する。実施形態１のコネクタ１０の組立ては、まず、図３に示すように、ハウジング４０の正面部４２に形成されたコンタクト収容部５８、５８に繋がる開口部６４、６４に対応するように各コンタクト１２、１２をそれぞれ配置する。このとき、各開口部６４、６４とコンタクト１２、１２の挿入される側の形状が対応するように配置される。なお、以下では、一方のコンタクト１２を挿入する場合について説明する。
【００５９】
その後、コンタクト１２の本体部１４に形成された案内部２０を開口部６４の狭い部分に形成された案内溝６０に沿ってコンタクト収容部５８へ挿入する。この案内部２０が先に挿入されることで、コンタクト１２を挿入しやすくなる。また、コンタクト１２を挿入する際に、本体部１４の挿入される側とは反対側の端部が押圧されるようになるが、押圧される側にも案内部２０が形成されていることで、板体のままに比べて、コンタクト１２を押圧しやすくなる。
【００６０】
そして、さらにコンタクト１２をコンタクト収容部５８内へ挿入させると、コンタクト１２の各雌端子部２６、２６がハウジング４０の突出部４１に形成された開口部６４の広い部分に挿入されるようになる。
【００６１】
なお、コンタクト１２の挿入される向きが異なっても、本体部１４の案内部２０は両端に形成されているので、コンタクト１２はどちらが先からでも挿入することができる。
【００６２】
その後、開口部６４からコンタクト収容部５８内に形成された係止溝６２に、コンタクト１２の本体部１４に形成された係止部２２が挿入されるようになる（図８Ｂ参照）。なお、コンタクト収容部５８の内部には、ハウジング４０の上面部４６側から底面部５０側に突出し、コンタクト収容部５８の一部が盛り上がり、狭くなるように形成された凸部６３が係止孔６８に隣接して形成されている。このとき、係止部２２は、コンタクト収容部５８の狭くなった凸部６３を通過する際に、この凸部６３に押圧されて斜め方向に立設して形成された係止部２２が弾性変形されて通過するようになる。
【００６３】
その後、コンタクト１２をさらに押し込み、コンタクト１２がコンタクト収容部５８にすべて収容されることで、コンタクト１２の組み立てが完了する（図８Ｃ参照）。このとき、コンタクト１２の係止部２２が、コンタクト収容部５８の狭くなった凸部６３を通過した後、係止孔６８に入ることで係止部２２の変形が元に戻り、係止部２２が係止孔６８に係止され、コンタクト１２の位置決め及び抜け止めがされるようになる。
【００６４】
また、コンタクト１２がコンタクト収容部５８に収容されることで、コンタクト１２に形成された各雌端子部２６、２６とハウジング４０に形成された第１挿入口４８及び第２挿入口５２とがそれぞれ対応する位置に配置されるようになる。
【００６５】
なお、ハウジング４０へのコンタクト１２の挿入は、一本ずつ行ってもよく、また、まとめて行ってもよい。
【００６６】
次に、実施形態１のコネクタ１０をモータ７２及び装置７６に取り付ける場合について説明する。実施形態１のコネクタ１０は、図１に示すように、モータ７２と装置７６との間に設けられて使用される。
【００６７】
まず、コネクタ１０にモータ７２を取り付ける。この取り付けは、図１Ｂに示すように、コネクタ１０のハウジング４０の上面部４６にモータ７２を配置し、ハウジング４０の上面部４６に形成された各第１挿入口４８、４８に、モータ７２の一方の雄端子７４、７４をそれぞれ挿入し、また、ハウジング４０の貫通孔６６に、モータ７２の先端側の一部を貫通させる。そして、モータ７２の一方の雄端子７４、７４が、ハウジング４０の第１挿入口４８、４８に挿入された後、コンタクト１２、１２の各雌端子部２６、２６に嵌入されて、接続されるようになる。このとき、モータ７２の一方の雄端子７４、７４は、ハウジング４０の正面部４２側に配置された各雌端子部２６、２６に接続される。なお、第１挿入口４８、４８の上面部４６側にはテーパが形成されているため、一方の雄端子７４、７４を容易に挿入することができるようになる。
【００６８】
次に、装置７６にコネクタ１０を取り付ける。この取り付けは、コネクタ１０のハウジング４０の底面部５０に装置７６を配置し、ハウジング４０の底面部５０に形成された第２挿入口５２、５２に、装置７６の他方の雄端子８０、８０を挿入させる。そして、装置７６の他方の雄端子８０、８０が、ハウジング４０の第２挿入口５２、５２に挿入された後、コンタクト１２、１２の雌端子部２６、２６にそれぞれ嵌入されて接続されるようになる。このとき、装置７６の他方の雄端子８０、８０は、ハウジング４０の後面部４４側に配置された各雌端子部２６、２６に接続されるようになる。なお、第２挿入口５２、５２の底面部５０側にはテーパが形成されているため、他方の雄端子８０、８０を容易に挿入することができるようになる。
【００６９】
以上で、コネクタ１０を介してのモータ７２と装置７６との接続が完了する（図１Ａ参照）。
【００７０】
なお、モータ及び装置の取り付けは、先に装置７６にコネクタ１０を取り付け、その後、装置７６に取り付けられたコネクタ１０にモータ７２を取り付けるようにしてもよい。このときのコネクタと装置の取り付け、及びコネクタとモータの取り付けについては、それぞれ上述した各取り付けと同様に行うことができる。
【００７１】
［実施形態２］
次に、図９〜図１７を参照して、実施形態２に係るコネクタ１０Ａについて説明する。なお、実施形態２のコネクタ１０Ａは、実施形態１のコネクタ１０とは、ハウジング４０及びコンタクト１２の形状が一部異なっているが、一方の機器としてのモータ７２と他方の機器としての装置７６との間に配置され、これらを接続させるために用いられるものであることは共通する。
【００７２】
そのため、実施形態２のコネクタ１０Ａは、モータ７２に設けられた一方の雄端子７４、７４と、装置７６に設けられた他方の雄端子８０、８０とがそれぞれ接続されることで、装置７６とモータ７２が繋がれるようになる。
【００７３】
そして、実施形態２のコネクタ１０Ａでは、図９に示すように、実施形態１のコネクタ１０と同様に、コネクタ１０Ａの一方側、例えば、上方側からモータ７２の一方の雄端子７４、７４がそれぞれ接続され、他方側、例えば、下方側から装置７６に設けられた他方の雄端子８０、８０がそれぞれ接続されるようになっている。
【００７４】
なお、実施形態２では、コネクタ１０Ａにモータ７２及び装置７６を取り付ける順序として、コネクタ１０Ａとモータ７２を先に取り付け、その後、モータ７２が取り付けられたコネクタ１０Ａと装置７６が取り付けられるようになっている。
【００７５】
実施形態２のコネクタ１０Ａは、図９〜図１１に示すように、モータ７２側の一方の雄端子７４、７４と、装置７６側の他方の雄端子８０、８０とそれぞれ接続される一対のコンタクト１２Ａ、１２Ａと、この一対のコンタクト１２Ａ、１２Ａが収容されるコンタクト収容部５８Ａ、５８Ａがそれぞれ内部に形成されたハウジング４０Ａとで構成されている。このとき、実施形態２の一対のコンタクト１２Ａ、１２Ａは、それぞれ、モータ７２の一方の雄端子７４の片方と装置７６の他方の雄端子８０の片方とそれぞれ接続されるようになる。
【００７６】
また、実施形態２のコネクタ１０Ａが接続されるモータ７２側の一方の雄端子７４と装置７６側の他方の雄端子８０は、実施形態１と異なり、左右方向、すなわち、コンタクト１２Ａ、１２Ａの長手方向とは直行する方向に配置されるようになっている。
【００７７】
次に、図１１〜図１４を参照して実施形態２のコンタクト１２Ａについて説明する。なお、実施形態２の一対のコンタクト１２Ａは、それぞれ共通の形状となっているため一方のコンタクト１２Ａを代表して説明する。
【００７８】
実施形態２のコンタクト１２Ａは、板状の本体部１４Ａと、この本体部１４Ａに繋がれた、モータ７２側の一方の雄端子７４の片方又は装置７６側の他方の雄端子８０の片方が接続される一対の雌端子部２６Ａ、２６Ａと、を有し、導電性材料、例えば金属材料で一体に形成されている。このコンタクト１２Ａは、金属製の板体を打ち抜き、折り曲げ加工等を行なうことで形成されている。なお、図１４は、コンタクト１２Ａの折り曲げ加工をする前の展開した状態の板状のコンタクト１２Ａ'を示している。
【００７９】
また、コンタクト１２Ａの一対の雌端子部２６Ａ、２６Ａと、本体部１４Ａとは、それぞれ繋ぎ部３８Ａにより繋がれている。この繋ぎ部３８Ａは、各雌端子部２６Ａ、２６Ａの幅に比べ狭い幅で形成されている。そして、この繋ぎ部３８Ａが本体部１４Ａに対してそれぞれ同じ方向、実施形態２では、後述する上面１６Ａ側に向かって略直角方向に折り曲げられており、雌端子部２６Ａ、２６Ａのそれぞれと本体部１４Ａとが略直角となるように配置される構成となっている。このように、コンタクト１２Ａの本体部１４Ａと各雌端子部２６Ａ、２６Ａが直交して配置されることにより、コネクタ１０Ａの小型化及び低背化を図ることができる。なお、実施形態２のコンタクト１２Ａでは、実施形態１のコンタクト１２の雌端子部２６が形成される位置が異なっており、コンタクト１２Ａの本体部１４Ａを間に挟んで、対向する位置にそれぞれ形成されている。
【００８０】
本体部１４Ａは、所定面積の上面１６Ａ及び底面１８Ａを有し、所定の厚さを有する略矩形状の板体で形成されており、この本体部１４Ａの長手側の側面の両側であって、略中央部分の対向する位置に繋ぎ部３８Ａがそれぞれ形成されている。
【００８１】
また、本体部１４Ａの長手側の両側面の両端部には、案内部２０Ａがそれぞれ形成されている。この案内部２０Ａは、本体部１４Ａの短手側に沿って本体部１４Ａから延設された小片であって、繋ぎ部３８Ａと同じ方向の上面１６Ａ側に向かって例えば曲面状に折り曲げられてそれぞれ形成されている。この案内部２０Ａは、実施形態１と同様に、コンタクト１２Ａをハウジング４０Ａに挿入する際に、ガイドとして用いられると共に、ハウジング４０Ａへの挿入時にコンタクト１２Ａが押圧される部分となる。
【００８２】
また、本体部１４Ａの長手方向の軸線上には、係止部２２Ａが上面１６Ａ側に傾斜して突出するように形成されている。この係止部２２Ａはコンタクト１２Ａをハウジング４０Ａへ取り付けたときに、ハウジング４０Ａのコンタクト収容部５８Ａ内で係止され、抜け止めがされる部分である。
【００８３】
また、一対の雌端子部２６Ａ、２６Ａは、それぞれ同じ形状で形成されている。この雌端子部２６Ａ、２６Ａは、実施形態１と同様に、繋ぎ部３８Ａからの仮想線上を挟んで両側の先端部分３４Ａ、３４Ａが向かい合うように折り曲げられた一対の端子片３０Ａ、３０Ａをそれぞれ有している。
【００８４】
なお、実施形態２の各雌端子部２６Ａ、２６Ａの端子片３０Ａ、３０Ａは、実施形態１の形状と共通し、それぞれ曲面状を有するように形成され、繋ぎ部３８Ａからの仮想線上を軸として対称に形成されている。そして、曲面状の端子片３０Ａ、３０Ａで囲まれた内側に各雄端子７４、８０が挿入されるようになっている。そのため、各端子片３０Ａ、３０Ａの曲面状に形成された先端部分３４Ａ、３４Ａは、繋ぎ部３８Ａからの仮想線上の中央部分３６Ａに接しない程度の隙間３２Ａが設けられている。そして、この隙間３２Ａにモータ７２及び装置７６の各雄端子７４、８０が挿入されることで各端子片３０Ａが広がる方向に弾性変形され、押し広げられることで挿入可能となり、且つ、弾性変形された各端子片３０Ａ、３０Ａによりこの雄端子７４、８０が押圧されるようになっている。このような構成とすることで、各雌端子部２６Ａ、２６Ａは、高い接圧が得られ、雄端子７４、８０と確実に接続させることができるようになる。
【００８５】
また、図１２、図１３に示すように、雌端子部２６Ａ、２６Ａの繋ぎ部３８Ａからの軸線上の中央部分３６Ａは、各端子片３０Ａ、３０Ａ側に盛り上がるように湾曲するように形成されている。このような構成とすることで、雄端子との接続をより確実に行うことができる。
【００８６】
なお、実施形態２のコンタクト１２Ａは、製造される段階では、実施形態１のコンタクトと同様に、１枚の長尺な板体に連続した状態のコンタクト連続体で形成されており、このコンタクト連続体の所定の部分で分断することで、１つのコンタクト１２Ａが製造される。このとき、コンタクト１２Ａの本体部１４Ａが連続して繋がれたようにコンタクト連続体を形成し、この連続して繋がれた本体部１４Ａを、コンタクト１２Ａを製造する際に、例えば、製造装置において搬送するための繋ぎ桟として用いることができる。そして、このコンタクト連続体の連続した本体部を所定の長さ及び所定の位置で切断して一つのコンタクトとして製造することができる。このようにすることで、材料を無駄にすることなく、コンタクトを製造することができる。また、本体部の係止部を形成するために形成された開口は、コンタクトの製造の際に移動させるための引っ掛け部として使用することができる。
【００８７】
次に、図１０、図１１、図１５、図１６を参照して、実施形態２のハウジング４０Ａについて説明する。実施形態２のハウジング４０Ａは、各コンタクト１２Ａ、１２Ａが挿入される開口部６４Ａ、６４Ａが形成された正面部４２Ａと、正面部４２Ａと対向する後面部４４Ａと、モータ７２が載置される側の上面部４６Ａと、上面部４６Ａに対向し、装置７６側に配置される底面部５０Ａと、一方の側面部５４Ａ及び他方の側面部５６Ａとを有するブロック体で構成されており、例えば、樹脂材料で形成されている。
【００８８】
また、ハウジング４０Ａの内部には、各コンタクト１２Ａ、１２Ａが収容されるコンタクト収容部５８Ａ、５８Ａがそれぞれ形成されている。このコンタクト収容部５８Ａ、５８Ａは、ハウジング４０Ａの一方の側面部５４Ａ側及び他方の側面部５６Ａ側に、各コンタクト１２Ａ、１２Ａが収容されるように、ハウジング４０Ａの正面部４２Ａ側から後面部４４Ａ側に向かってそれぞれ形成されている。そのため、ハウジング４０Ａのコンタクト収容部５８Ａ、５８Ａが形成された部分は、底面部５０Ａ側が突出して形成された突出部４１Ａ、４１Ａとなっており、この突出部４１Ａ、４１Ａの内部がコンタクト収容部５８Ａ、５８Ａとなっている。なお、実施形態２のコンタクト収容部５８Ａ、５８Ａは、実施形態１のコンタクト収容部５８、５８に比べて、コンタクト１２Ａの挿入方向は短く、また、コンタクト１２Ａの挿入方向に対して直交する幅方向は広く形成されている。
【００８９】
また、コンタクト収容部５８Ａ、５８Ａは、収容されるコンタクト１２Ａ、１２Ａに対応した形状となっており、コンタクト１２Ａ、１２Ａの各雌端子部２６Ａ、２６Ａが収容される部分と、本体部１４Ａが収容される部分とを有し、本体部１４Ａが収容される部分には、上面部４６Ａ側から底面部５０Ａ側に向かって立設された壁部５９Ａが形成されている。
【００９０】
また、ハウジング４０Ａには、上面部４６Ａから底面部５０Ａに亘って貫通され、後面部４４Ａ側が所定の形状、例えば半円状に窪んだ窪み部６７Ａが形成されている。この窪み部６７Ａは、コネクタ１０Ａに取り付けられるモータ７２の一部が貫通される部分となる。なお、この窪み部６７Ａは、コンタクト収容部５８Ａ、５８Ａに重ならない位置に形成されている。
【００９１】
ハウジング４０Ａの正面部４２Ａは、一方の側面部５４Ａ側及び他方の側面部５６Ａ側の突出部４１Ａが形成された部分が、突出部４１Ａ、４１Ａが形成されていない他の部分より高くなるように形成されている。そして、正面部４２Ａには、コンタクト収容部５８Ａ、５８Ａに繋がる開口部６４Ａ、６４Ａがそれぞれ形成されている。この開口部６４Ａ、６４Ａは、コンタクト収容部５８Ａに対応して形成され、正面部４２Ａ側からみて、開口部６４Ａ、６４Ａの両側にコンタクト１２Ａ、１２Ａの一対の雌端子部２６Ａ、２６Ａが挿入される部分と、これらの間にコンタクト１２Ａ、１２Ａの本体部１４Ａが挿入される部分が設けられている。
【００９２】
このとき、コンタクト１２Ａ、１２Ａの本体部１４Ａが挿入される部分には、上面部４６Ａ側から底面部５０Ａ側に向かって突出された壁部５９Ａ、５９Ａがそれぞれ形成されている。この壁部５９Ａ、５９Ａは、コンタクト収容部５８Ａ、５８Ａにおいて、底面部５０Ａ側には到達しない高さで形成されており、壁部５９Ａ、５９Ａの頂部との間にコンタクト１２Ａ、１２Ａが収容される隙間が形成されている。なお、この壁部５９Ａ、５９Ａは、コンタクト収容部５８Ａの内部に亘って形成されている。
【００９３】
ハウジング４０Ａの後面部４４Ａは、正面部４２Ａと同様に、一方の側面部５４Ａ側及び他方の側面部５６Ａ側が底面部５０Ａ側に突出された突出部４１Ａが形成されていることで高くなり、突出部４１Ａ、４１Ａが形成されていない中央部分が低くなるようにされている。そして、後面部４４Ａは、コンタクト収容部５８Ａの後端側となり開口はされておらず閉塞されており、平面状に形成されている。
【００９４】
ハウジング４０Ａの上面部４６Ａは、モータ７２が載置可能な大きさであって、平面状に形成されており、略中央部分には、モータ７２の一部が貫通される窪み部６７Ａが形成されている。また、上面部４６Ａの一方の側面部５４Ａ及び他方の側面部５６Ａと窪み部６７Ａとの間には、モータ７２の一対の一方の雄端子７４、７４が挿入される一対の第１挿入口４８Ａ、４８Ａが、それぞれハウジング４０Ａのコンタクト収容部５８Ａ、５８Ａに到達するように貫通して形成されている。この第１挿入口４８Ａ、４８Ａは、一方の側面部５４Ａ及び他方の側面部５６Ａに比べ、窪み部６７Ａに近い位置にそれぞれ形成されている。なお、第１挿入口４８Ａ、４８Ａの上面部４６Ａ側は、一方の雄端子７４、７４が挿入されやすいようにテーパがそれぞれ形成されている。
【００９５】
また、上面部４６Ａの各第１挿入口４８Ａ、４８Ａと一方の側面部５４Ａ及び他方の側面部５６Ａとの間には、各コンタクト収容部５８Ａ、５８Ａまで貫通された係止孔６８Ａ、６８Ａがそれぞれ形成されている。この係止孔６８Ａ、６８Ａは、コンタクト１２Ａ、１２Ａがハウジング４０Ａのコンタクト収容部５８Ａ、５８Ａに収容された際に、コンタクト１２Ａ、１２Ａの本体部１４Ａに形成された係止部２２Ａと係止され、位置決め及び抜け止めがされる部分となる。
【００９６】
また、ハウジング４０Ａの底面部５０Ａは、一方の側面部５４Ａ側と他方の側面部５６Ａ側の突出部４１Ａ、４１Ａが形成されている部分が、中央部分３６Ａに比べ高くなるような段状に形成されている。底面部５０Ａの略中央部分には、窪み部６７Ａが形成されており、貫通されたモータ７２が突出された状態で配置されるようになる。また、底面部５０Ａであって、各突出部４１Ａ、４１Ａの一方の側面部５４Ａ側及び他方の側面部５６Ａ側には、装置７６の一対の他方の雄端子８０、８０が挿入される第２挿入口５２Ａ、５２Ａが、それぞれコンタクト収容部５８Ａ、５８Ａまで到達するように貫通して形成されている。この第２挿入口５２Ａは上面部４６Ａの第１挿入口４８Ａに比べ、一方の側面部５４Ａ及び他方の側面部５６Ａに近い位置に形成されている。また、第２挿入口５２Ａ、５２Ａの底面部５０Ａ側は、他方の雄端子８０、８０が挿入されやすいようにテーパがそれぞれ形成されている。
【００９７】
一方の側面部５４Ａ及び他方の側面部５６Ａは、それぞれ、突出部４１Ａ、４１Ａが形成されることで、所定の高さを有し、平面状に形成されている。
【００９８】
また、ハウジング４０Ａの内部に形成されたコンタクト収容部５８Ａ、５８Ａは、図１５、図１６に示すように、ハウジング４０Ａの底面部５０Ａ側であって、一方の側面部５４Ａ側及び他方の側面部５６Ａ側の突出部４１Ａ内にそれぞれ形成されており、コンタクト１２Ａ、１２Ａの本体部１４Ａが底面部５０Ａ側となるように収容されるようになっている。また、コンタクト収容部５８Ａ、５８Ａには、正面部４２Ａの開口部６４Ａから繋がる壁部５９Ａ、５９Ａが後面部４４Ａに亘ってそれぞれ形成されている。
【００９９】
そして、この壁部５９Ａ、５９Ａの底面部５０Ａ側であって、両端側には、コンタクト１２Ａ、１２Ａの本体部１４Ａに形成された案内部２０Ａが挿入される案内溝６０Ａ、６０Ａがそれぞれ形成され、この案内溝６０Ａ、６０Ａの間には、コンタクト１２Ａ、１２Ａの本体部１４Ａに形成された係止部２２Ａが挿入される係止溝６２Ａが形成されている。また、この案内溝６０Ａ、６０Ａと係止溝６２Ａとの境には、突起部７０Ａ、７０Ａがそれぞれ形成されている。さらに、係止溝６２Ａには、ハウジング４０Ａの上面部４６Ａまで貫通された係止孔６８Ａ、６８Ａがそれぞれ形成されている。なお、この係止孔６８Ａ、６８Ａの開口部６４Ａ、６４Ａ側には、上面部４６Ａ側から底面部５０Ａ側に突出し、コンタクト収容部５８Ａの一部が盛り上がり、狭くなるように形成された凸部６３Ａが設けられている。そして、係止孔６８Ａに各コンタクト１２Ａの係止部２２Ａが嵌まり込むことで、凸部６３Ａに係止されるようになる。
【０１００】
次に、主に図１０、図１１、図１６を参照して実施形態２のコネクタ１０Ａの組み立てについて説明する。実施形態２のコネクタ１０Ａの組立ては、まず、図１１に示すように、ハウジング４０Ａの正面部４２Ａに形成されたコンタクト収容部５８Ａ、５８Ａに繋がる開口部６４Ａ、６４Ａの形状に対応するように各コンタクト１２Ａ、１２Ａをそれぞれ配置する。このとき、ハウジング４０Ａの底面部５０Ａ側にコンタクト１２Ａ、１２Ａの本体部１４Ａが配置され、ハウジング４０Ａの上面部４６Ａにコンタクト１２Ａ、１２Ａの雌端子部２６Ａ、２６Ａが配置されるようになる。なお、以下では、一方のコンタクト１２Ａを挿入する場合について説明する。
【０１０１】
その後、コンタクト１２Ａの本体部１４Ａに形成された案内部２０Ａを壁部５９Ａの底面部５０Ａ側の両側に形成された案内溝６０Ａに沿うようにして開口部６４Ａからコンタクト収容部５８Ａへ挿入する。この案内部２０Ａを先に挿入することで、コンタクト１２Ａを挿入しやすくなる。また、コンタクト１２Ａを挿入する際に、本体部１４Ａの挿入される側とは反対側の端部が押圧されるようになるが、押圧される側にも案内部２０Ａが形成されていることで、コンタクト１２Ａを押圧しやすくなる。
【０１０２】
そして、さらにコンタクト１２Ａをコンタクト収容部５８Ａ内へ挿入させると、コンタクト１２Ａの各雌端子部２６Ａ、２６Ａが開口部６４Ａの広い部分に挿入されるようになる。
【０１０３】
その後、さらにコンタクト１２Ａを挿入させると、開口部６４Ａからコンタクト収容部５８Ａに形成された係止溝６２Ａに、コンタクト１２Ａの本体部１４Ａに形成された係止部２２Ａが挿入されるようになる（図１６Ｂ参照）。そして、コンタクト収容部５８Ａの内部には、上面部４６Ａ側から底面部５０Ａ側に突出し、一部が盛り上がることで狭くなるように形成された凸部６３Ａが係止孔６８Ａに隣接して形成されている。このとき、係止部２２Ａは、コンタクト収容部５８Ａの狭くなった凸部６３Ａを通過する際に、この凸部６３Ａに押圧されて斜め方向に立設して形成された係止部２２Ａが弾性変形されて通過するようになる。
【０１０４】
その後、コンタクト１２Ａをコンタクト収容部５８Ａ内にさらに押し込み、コンタクト１２Ａがコンタクト収容部５８Ａにすべて収容されることで、コンタクト１２Ａの組み立てが完了する（図１６Ｃ参照）。このとき、コンタクト１２Ａの係止部２２Ａが、コンタクト収容部５８Ａの狭くなった凸部６３Ａを通過した後、係止孔６８Ａに入ることで係止部２２Ａの変形が元に戻り、係止部２２Ａが係止孔６８Ａに嵌入されると共に、凸部６３Ａに係止され、コンタクト１２Ａの位置決め及び抜け止めがされるようになる。
【０１０５】
また、コンタクト１２Ａがコンタクト収容部５８Ａに収容されることで、コンタクト１２Ａに形成された各雌端子部２６Ａ、２６Ａとハウジング４０Ａに形成された第１挿入口４８Ａ及び第２挿入口５２Ａとがそれぞれ対応する位置に配置されるようになる。
【０１０６】
なお、ハウジング４０Ａへのコンタクト１２Ａの挿入は、一本ずつ行ってもよく、また、まとめて行ってもよい。
【０１０７】
また、実施形態２のコンタクト１２Ａでは、図１２に示すように係止部２２Ａは一方の方向に傾斜して突出された形状となっているが、これに限らず、実施形態１の係止部２２、２２のように、斜め方向に立設された係止片が本体部１４Ａの中央部に対して対称となるように対向させて形成するようにしてもよい。このような構成とすることで、コンタクト１２Ａをハウジング４０Ａにどちらの向きからでも挿入することができるようになる。その場合、コンタクト１２Ａの挿入される向きが異なっても、本体部１４Ａの案内部２０Ａは両端に形成されているので、コンタクト１２Ａはどちらが先からでも問題なく挿入することができる。
【０１０８】
次に、実施形態２のコネクタ１０Ａをモータ７２及び装置７６に取り付ける場合を説明する。実施形態２のコネクタ１０Ａは、図９に示すように、モータ７２と装置７６との間に設けられて使用される。
【０１０９】
まず、コネクタ１０Ａにモータ７２を取り付ける。この取り付けは、図１７Ａ、図１７Ｂに示すように、コネクタ１０Ａのハウジング４０Ａの上面部４６Ａ側にモータ７２を配置し、ハウジング４０Ａの上面部４６Ａに形成された各第１挿入口４８Ａ、４８Ａに、モータ７２の一方の雄端子７４、７４をそれぞれ挿入し、また、ハウジング４０Ａの窪み部６７Ａに、モータ７２の一部を貫通させる。そして、モータ７２の一方の雄端子７４、７４が、ハウジング４０Ａの第１挿入口４８Ａ、４８Ａに挿入された後、コンタクト１２Ａ、１２Ａの各雌端子部２６Ａ、２６Ａに嵌入されて、接続されるようになる。このとき、モータ７２の雄端子７４、７４は、ハウジング４０Ａの正面部４２Ａ側に配置された各雌端子部２６Ａ、２６Ａに接続される。なお、第１挿入口４８Ａ、４８Ａの上面部４６Ａ側にはテーパが形成されているため、一方の雄端子７４、７４を容易に挿入することができるようになる。
【０１１０】
また、実施形態２のハウジング４０Ａは、モータ７２に取り付ける側である上面部４６Ａ側が平面状に形成されているので、上下の方向性を認識し易く、また、窪み部６７Ａが形成されていることで、前後の方向性も認識し易くなっている。また、上面部４６Ａ側が平面状に形成されていることで、コネクタ１０Ａをモータ７２に取り付けやすくなっている。
【０１１１】
次に、装置７６にコネクタ１０Ａを取り付ける。この取り付けは、図１７Ｃ及び図１７Ｄに示すように、コネクタ１０Ａのハウジング４０Ａの底面部５０Ａ側に装置７６を配置し、ハウジング４０Ａの底面部５０Ａに形成された第２挿入口５２Ａ、５２Ａに、装置７６の他方の雄端子８０、８０を挿入させる。そして、装置７６の他方の雄端子８０、８０が、ハウジング４０Ａの第２挿入口５２Ａ、５２Ａに挿入された後、コンタクト１２Ａ、１２Ａの雌端子部２６Ａ、２６Ａにそれぞれ嵌入されて接続されるようになる。このとき、装置７６の他方の雄端子８０、８０は、ハウジング４０Ａの後面部４４Ａ側に配置された各雌端子部２６Ａ、２６Ａに接続されるようになる。なお、第２挿入口５２Ａ、５２Ａの底面部５０Ａ側にはテーパが形成されているため、他方の雄端子８０、８０を容易に挿入することができるようになる。
【０１１２】
以上で、コネクタ１０Ａを介してのモータ７２と装置７６との接続が完了する（図９Ａ、図１７Ｄ参照）。
【０１１３】
なお、上記実施形態２のコネクタ１０Ａでは、モータ７２を先に取り付け、その後、装置７６と取り付けるように説明したが、これに限らず、先に装置７６と取り付け、その後、モータ７２と取り付けるようにしてもよい。
【０１１４】
［実施形態３］
次に、図１８〜図２３を参照して実施形態３に係るコネクタ１０Ｂについて説明する。なお、実施形態３に係るコネクタ１０Ｂは、実施形態２に係るコネクタ１０Ａを構成するハウジング４０Ａの形状が異なっているが、コンタクトは、実施形態２のコンタクト１２Ａと共通している。そこで、実施形態２のコネクタ１０Ａと共通する構成については同一の符号を付し、詳細な説明は省略する。
【０１１５】
実施形態３に係るコネクタ１０Ｂは、実施形態１及び２のコネクタ１０、１０Ａと同様に、一方の機器としてのモータ７２と他方の機器としての装置７６の間に配置され、このモータ７２と装置７６とを接続させるものである。
【０１１６】
そのため、実施形態３のコネクタ１０Ｂは、実施形態２のコネクタ１０Ａと同様に、モータ７２に設けられた一方の雄端子７４、７４と、装置７６に設けられた他方の雄端子８０、８０とがそれぞれ接続されることで、装置７６とモータ７２が繋がれるようになる。
【０１１７】
なお、実施形態３のコネクタ１０Ｂの取り付け順は、実施形態２のコネクタ１０Ａと反対に、先に、コネクタ１０Ｂを装置７６に取り付け、その後、装置７６に取り付けられたコネクタ１０Ｂにモータ７２を取り付けるようになっている。
【０１１８】
実施形態３のコネクタ１０Ｂは、図１８〜図２０に示すように、モータ７２側の一方の雄端子７４、７４と、装置７６側の他方の雄端子８０、８０とそれぞれ接続される一対のコンタクト１２Ａ、１２Ａと、この一対のコンタクト１２Ａ、１２Ａがそれぞれ収容されるコンタクト収容部５８Ｂが内部に形成されたハウジング４０Ｂとで構成されている。
【０１１９】
このとき、実施形態３の一対のコンタクト１２Ａ、１２Ａは、それぞれ、モータ７２の一方の雄端子７４の片方と装置７６の他方の雄端子８０の片方とそれぞれ接続されるようになる。
【０１２０】
次に、実施形態３のコネクタ１０Ｂの各構成について説明する。なお、実施形態３のコンタクト１２Ａは、上述した実施形態２のコネクタ１０Ａと共通するので詳細な説明は省略する（図１２〜図１４参照）。
【０１２１】
実施形態３のハウジング４０Ｂは、図１９〜図２２に示すように、各コンタクト１２Ａ、１２Ａが挿入される開口部６４Ｂ、６４Ｂが形成された正面部４２Ｂと、正面部４２Ｂと対向する後面部４４Ｂと、モータ７２が載置される側の上面部４６Ｂと、上面部４６Ｂに対向し、装置７６側に配置される底面部５０Ｂと、一方の側面部５４Ｂ及び他方の側面部５６Ｂとを有するブロック体で構成されており、例えば、樹脂材料で形成されている。
【０１２２】
また、ハウジング４０Ｂの内部には、各コンタクト１２Ａ、１２Ａが収容されるコンタクト収容部５８Ｂ、５８Ｂがそれぞれ形成されている。このコンタクト収容部５８Ｂ、５８Ｂは、ハウジング４０Ｂの一方の側面部５４Ｂ側及び他方の側面部５６Ｂ側に、各コンタクト１２Ａ、１２Ａが収容されるように、ハウジング４０Ｂの正面部４２Ｂ側から後面部４４Ｂ側に向かってそれぞれ形成されている。そのため、ハウジングのコンタクト収容部５８Ｂ、５８Ｂが形成された部分は、上面部４６Ｂ側が突出して形成された突出部４１Ｂを有しており、この突出部４１Ｂの内部がコンタクト収容部５８Ｂとなっている。なお、実施形態３のコンタクト収容部５８Ｂは、実施形態２のコンタクト収容部５８Ａと同様に、実施形態１のコンタクト収容部５８に比べて、コンタクトの挿入方向は短く、また、コンタクトの挿入方向に対して直交する幅方向は広く形成されている。
【０１２３】
また、コンタクト収容部５８Ｂ、５８Ｂは、収容されるコンタクト１２Ａ、１２Ａに対応した形状となっており、コンタクト１２Ａ、１２Ａの各雌端子部２６Ａ、２６Ａが収容される部分と、本体部１４Ａが収容される部分とを有し、本体部１４Ａが収容される部分には、上面部４６Ｂ側から底面部５０側に向かって立設された壁部５９Ｂ、５９Ｂがそれぞれ形成されている。
【０１２４】
また、ハウジング４０Ｂには、上面部４６Ｂから底面部５０Ｂに亘って貫通され、後面部４４Ｂ側が所定の形状、例えば半円状に窪んだ窪み部６７Ｂが形成されている。この窪み部６７Ｂは、コネクタ１０Ｂに取り付けられるモータ７２の一部が貫通される部分となる。なお、この窪み部６７Ｂは、コンタクト収容部５８Ｂ、５８Ｂに重ならない位置に形成されている。
【０１２５】
また、ハウジング４０Ｂの正面部４２Ｂの一方の側面部５４Ｂ側及び他方の側面部５６Ｂ側の突出部４１Ｂが形成された部分には、コンタクト収容部５８Ｂ、５８Ｂに繋がる開口部６４Ｂ、６４Ｂがそれぞれ形成されている。この開口部６４Ｂ、６４Ｂは、コンタクト収容部５８Ｂ、５８Ｂの形状に対応して形成され、正面部４２Ｂ側からみて、開口部６４Ｂ、６４Ｂの両側にコンタクト１２Ａ、１２Ａの一対の雌端子部２６Ａ、２６Ａが挿入される部分と、これらの間にコンタクト１２Ａ、１２Ａの本体部１４Ａが挿入される部分が設けられている。
【０１２６】
このとき、コンタクト１２Ａ、１２Ａの本体部１４Ａが挿入される部分は、上面部４６Ｂ側から底面部５０Ｂ側に向かって突出された壁部５９Ｂ、５９Ｂが形成されている。この壁部５９Ｂ、５９Ｂは、コンタクト収容部５８Ｂ、５８Ｂにおいて、底面部５０Ｂ側には到達しない高さで形成されており、壁部５９Ｂ、５９Ｂの頂部との間に隙間が形成されている。なお、この壁部５９Ｂ、５９Ｂは、コンタクト収容部５８Ｂ、５８Ｂの内部に亘って形成されている。
【０１２７】
ハウジング４０Ｂの後面部４４Ｂは、正面部４２Ｂと同様に、一方の側面部５４Ｂ側及び他方の側面部５６Ｂ側が上面部４６Ｂ側に突出された突出部４１Ｂ、４１Ｂが形成されていることで高くなり、突出部４１Ｂ以外の中央部分が低くなるようにされている。そして、後面部４４Ｂは、コンタクト収容部５８Ｂ、５８Ｂの後端側となり開口はされておらず閉塞されており、平面状に形成されている。
【０１２８】
また、ハウジング４０Ｂの上面部４６Ｂは、モータ７２が載置される側であり、一方の側面部５４Ｂ側と他方の側面部５６Ｂ側の突出部４１Ｂ、４１Ｂが形成されている部分が、他の中央部分に比べ高くなるような段状に形成されている。底面部５０Ｂの略中央部分には、モータ７２の一部が貫通される窪み部６７Ｂが形成されている。また、各突出部４１Ｂ、４１Ｂの一方の側面部５４Ｂ側及び他方の側面部５６Ｂ側には、装置７６の他方の雄端子８０、８０が挿入される第１挿入口４８Ｂ、４８Ｂが、それぞれコンタクト収容部５８Ｂ、５８Ｂまで到達するように貫通して形成されている。この第１挿入口４８Ｂ、４８Ｂは、一方の側面部５４Ｂ及び他方の側面部５６Ｂに比べ、窪み部６７Ｂに近い位置にそれぞれ形成されている。なお、第１挿入口４８Ｂ、４８Ｂの上面部４６Ｂ側は、一方の雄端子７４が挿入されやすいようにテーパがそれぞれ形成されている。
【０１２９】
また、上面部４６Ｂの各第１挿入口４８Ｂ、４８Ｂと一方の側面部５４Ｂ及び他方の側面部５６Ｂとの間には、各コンタクト収容部５８Ｂ、５８Ｂまで貫通された係止孔６８Ｂ、６８Ｂがそれぞれ形成されている。この係止孔６８Ｂ、６８Ｂは、コンタクト１２Ａ、１２Ａがハウジング４０Ｂのコンタクト収容部５８Ｂ、５８Ｂに収容された際に、コンタクト１２Ａ、１２Ａの本体部１４Ａに形成された係止部２２Ａと係止され、位置決め及び抜け止めがされる部分となる。
【０１３０】
ハウジング４０Ｂの底面部５０Ｂは、装置７６側に配置される面であり平面状に形成されている。この底面部５０Ｂの略中央部分には、窪み部６７Ｂが形成されており、貫通されたモータ７２の一部が突出された状態で配置されるようになる。また、底面部５０Ｂの一方の側面部５４Ｂ及び他方の側面部５６Ｂと窪み部６７Ｂとの間には、モータ７２の他方の雄端子８０が挿入される一対の第２挿入口５２Ｂ、５２Ｂが、それぞれハウジング４０Ｂのコンタクト収容部５８Ｂ、５８Ｂに到達するように貫通して形成されている。この第２挿入口５２Ｂ、５２Ｂは上面部４６Ｂの第１挿入口４８Ｂ、４８Ｂに比べ、一方の側面部５４Ｂ及び他方の側面部５６Ｂに近い位置に形成されている。また、第２挿入口５２Ｂ、５２Ｂの底面部５０Ｂ側は、他方の雄端子８０、８０が挿入されやすいようにテーパがそれぞれ形成されている。
【０１３１】
一方の側面部５４Ｂ及び他方の側面部５６Ｂは、それぞれ、突出部４１Ｂ、４１Ｂが形成されることで、所定の高さを有し、平面状に形成されている。
【０１３２】
また、ハウジング４０Ｂの内部に形成されたコンタクト収容部５８Ｂ、５８Ｂは、図２２に示すように、ハウジング４０Ｂの底面部５０Ｂ側であって、一方の側面部５４Ｂ側及び他方の側面部５６Ｂ側の突出部４１Ｂ、４１Ｂ内にそれぞれ形成されており、コンタクト１２Ａ、１２Ａの本体部１４Ａが底面部５０Ｂ側となるように収容されるようになっている。また、コンタクト収容部５８Ｂ、５８Ｂには、正面部４２Ｂの開口部６４Ｂ、６４Ｂから繋がる壁部５９Ｂ、５９Ｂが後面部４４Ｂに亘って形成されている。
【０１３３】
この壁部５９Ｂ、５９Ｂの底面部５０Ｂ側であって、両端側には、コンタクト１２Ａ、１２Ａの本体部１４Ａに形成された案内部２０Ａが挿入される案内溝６０Ｂ、６０Ｂがそれぞれ形成され、この案内溝６０Ｂ、６０Ｂの間には、コンタクト１２Ａ、１２Ａの本体部１４Ａに形成された係止部２２Ａが挿入される係止溝６２Ｂが形成されている。また、この案内溝６０Ｂ、６０Ｂと係止溝６２Ｂとの境には、突起部７０Ｂ、７０Ｂがそれぞれ形成されている。さらに、係止溝６２Ｂには、ハウジング４０Ｂの上面部４６Ｂまで貫通された係止孔６８Ｂ、６８Ｂがそれぞれ形成されている。なお、この係止孔６８Ｂ、６８Ｂの開口部６４Ｂ、６４Ｂ側には、上面部４６Ｂ側から底面部５０Ｂ側に向かって突出し、コンタクト収容部５８Ｂ、５８Ｂの一部が盛り上がり、狭くなるように形成された凸部６３Ｂが設けられている。そして、係止孔６８Ｂにコンタクト１２Ａの係止部２２Ａが嵌まり込むことで、凸部６３Ｂに係止部２２Ａが係止されるようになる。
【０１３４】
次に、主に図１９、図２０、図２２を参照して実施形態３のコネクタ１０Ｂの組み立てについて説明する。実施形態３のコネクタ１０Ｂの組立ては、実施形態２のコネクタ１０Ａの組み立てと略共通し、図２０に示すように、ハウジング４０Ｂの正面部４２Ｂに形成されたコンタクト収容部５８Ｂ、５８Ｂに繋がる開口部６４Ｂ、６４Ｂに対応するように各コンタクト１２Ａ、１２Ａをそれぞれ配置する。このとき、ハウジング４０Ｂの底面部５０Ｂ側にコンタクト１２Ａ、１２Ａの本体部１４Ａが配置され、ハウジング４０Ｂの上面部４６Ｂ側にコンタクト１２Ａ、１２Ａの雌端子部２６Ａ、２６Ａが配置されるようになる。なお、以下では、一方のコンタクト１２Ａを挿入する場合について説明する。
【０１３５】
その後、コンタクト１２Ａの本体部１４Ａに形成された案内部２０Ａを開口部６４Ｂの壁部５９Ｂの底面部５０Ｂ側の両側に形成された案内溝６０Ｂ、６０Ｂに沿って挿入する。この案内部２０Ａを先に挿入することで、コンタクト１２Ａを挿入しやすくなる。また、コンタクト１２Ａを挿入する際に、本体部１４Ａの挿入される側とは反対側の端部が押圧されるようになるが、押圧される側にも案内部２０Ａが形成されていることで、コンタクト１２Ａを押圧しやすくなる。
【０１３６】
そして、さらにコンタクト１２Ａをコンタクト収容部５８Ｂ内へ挿入させると、コンタクト１２Ａの各雌端子部２６Ａ、２６Ａが開口部６４Ｂの広い部分に挿入されるようになる。
【０１３７】
その後、さらにコンタクト１２Ａを挿入させると、開口部６４Ｂからコンタクト収容部５８Ｂの壁部５９Ｂに形成された係止溝６２Ｂに、コンタクト１２Ａの本体部１４Ａに形成された係止部２２Ａが挿入されるようになる（図２３Ｂ参照）。なお、コンタクト収容部５８Ｂの内部には、上面部４６Ｂ側から底面部５０Ｂ側に突出し、コンタクト収容部５８Ｂの一部が盛り上がり、狭くなるように形成された凸部６３Ｂが係止孔６８Ｂに隣接して形成されている。このとき、係止部２２Ａは、コンタクト収容部５８Ｂの狭くなった凸部６３Ｂを通過する際に、この凸部６３Ｂに押圧されて斜め方向に立設して形成された係止部２２Ａが弾性変形されて通過するようになる。
【０１３８】
その後、コンタクト１２Ａをコンタクト収容部５８Ｂ内にさらに押し込み、コンタクト１２Ａがコンタクト収容部５８Ｂにすべて収容されることで、コンタクト１２Ａの組み立てが完了する（図２３Ｃ参照）。このとき、コンタクト１２Ａの係止部２２Ａが、コンタクト収容部５８Ｂの狭くなった凸部６３Ｂを通過した後、係止孔６８Ｂに入ることで係止部２２Ａの変形が元に戻り、係止部２２Ａが係止孔６８Ｂに嵌入されると共に、凸部６３Ｂに係止され、コンタクト１２Ａの位置決め及び抜け止めがされるようになる。
【０１３９】
また、コンタクト１２Ａがコンタクト収容部５８Ｂに収容されることで、コンタクト１２Ａに形成された各雌端子部２６Ａ、２６Ａとハウジング４０Ｂに形成された第１挿入口４８Ｂ、４８Ｂ及び第２挿入口５２Ｂ、５２Ｂとがそれぞれ対応する位置に配置されるようになる。
【０１４０】
なお、ハウジング４０Ｂへのコンタクト１２Ａの挿入は、一本ずつ行ってもよく、また、まとめて行ってもよい。
【０１４１】
次に、実施形態３のコネクタ１０Ｂをモータ７２及び装置７６に取り付ける場合を説明する。実施形態３のコネクタ１０Ｂは、図１８に示すように、モータ７２と装置７６との間に設けられて使用される。
【０１４２】
まず、装置７６にコネクタ１０Ｂを取り付ける。この取り付けは、図２３Ａ、図２３Ｂに示すように、コネクタ１０Ｂのハウジング４０Ｂの底面部５０Ｂ側に装置７６を配置し、ハウジング４０Ｂの底面部５０Ｂに形成された第２挿入口５２Ｂ、５２Ｂに、装置７６の他方の雄端子８０、８０を挿入させる。そして、装置７６の他方の雄端子８０、８０が、ハウジング４０Ｂの第２挿入口５２Ｂ、５２Ｂに挿入された後、コンタクト１２Ａ、１２Ａの雌端子部２６Ａ、２６Ａにそれぞれ嵌入されて接続されるようになる。このとき、装置７６の他方の雄端子８０、８０は、ハウジング４０Ｂの後面部４４Ｂ側に配置された各雌端子部２６Ａ、２６Ａに接続されるようになる。なお、第２挿入口５２Ｂ、５２Ｂの底面部５０Ｂ側にはテーパが形成されているため、他方の雄端子８０、８０を容易に挿入することができるようになる。
【０１４３】
また、実施形態３のハウジング４０Ｂは、装置７６に取り付ける側である底面部５０Ｂ側が平面状に形成されているので、上下の方向性を認識し易く、また、窪み部６７Ｂが形成されていることで、前後の方向性も認識しやすくなっている。また、底面部５０Ｂ側が平面状に形成されていることで、コネクタ１０Ｂを装置７６に取り付けやすくなっている。
【０１４４】
次に、装置７６取り付けられたコネクタ１０Ｂにモータ７２を取り付ける。この取り付けは、図２３Ｃ、図２３Ｄに示すように、コネクタ１０Ｂのハウジング４０Ｂの上面部４６Ｂにモータ７２を配置し、ハウジング４０Ｂの上面部４６Ｂに形成された各第１挿入口４８Ｂ、４８Ｂに、モータ７２の一方の雄端子７４、７４をそれぞれ挿入し、また、ハウジング４０Ｂの窪み部６７Ｂに、モータ７２の一部を貫通させる。そして、モータ７２の一方の雄端子７４、７４が、ハウジング４０Ｂの第１挿入口４８Ｂ、４８Ｂに挿入された後、コンタクト１２Ａ、１２Ａの各雌端子部２６Ａ、２６Ａに嵌入されて、接続されるようになる。このとき、モータ７２の一方の雄端子７４、７４は、ハウジング４０Ｂの正面部４２Ｂ側に配置された各雌端子部２６Ａ、２６Ａに接続される。なお、第１挿入口４８Ｂ、４８Ｂの上面部４６Ｂ側にはテーパが形成されているため、一方の雄端子７４を容易に挿入することができるようになる。
【０１４５】
以上で、実施形態３のコネクタ１０Ｂを介してのモータ７２と装置７６との接続が完了する（図１Ａ、２３Ｄ参照）。
【０１４６】
なお、上記実施形態３のコネクタ１０Ｂでは、先に装置７６に取り付け、その後、モータ７２を取り付けるように説明したが、これに限らず、先にモータ７２と取り付け、その後、装置７６と取り付けるようにしてもよい。
【符号の説明】
【０１４７】
１０、１０Ａ、１０Ｂ  コネクタ
１２、１２Ａ  コンタクト
１４、１４Ａ  本体部
１６、１６Ａ  上面
１８、１８Ａ  底面
２０、２０Ａ  案内部
２２、２２Ａ  係止部
２６、２６Ａ  雌端子部
３０、３０Ａ  端子片
３２、３２Ａ  隙間
３４、３４Ａ  先端部分
３６、３６Ａ  中央部分
３８、３８Ａ  繋ぎ部
４０、４０Ａ、４０Ｂ  ハウジング
４１、４１Ａ、４１Ｂ  突出部
４２、４２Ａ、４２Ｂ  正面部
４４、４４Ａ、４４Ｂ  後面部
４６、４６Ａ、４６Ｂ  上面部
４８、４８Ａ、４８Ｂ  第１挿入口
５０、５０Ａ、５０Ｂ  底面部
５２、５２Ａ、５２Ｂ  第２挿入口
５４、５４Ａ、５４Ｂ  一方の側面部
５６、５６Ａ、５６Ｂ  他方の側面部
５８、５８Ａ、５８Ｂ  コンタクト収容部
５９Ａ、５９Ｂ  壁部
６０、６０Ａ、６０Ｂ  案内溝
６２、６２Ａ、６２Ｂ  係止溝
６３、６３Ａ、６３Ｂ  凸部
６４、６４Ａ、６４Ｂ  開口部
６６  貫通孔
６７Ａ、６７Ｂ  窪み部
６８、６８Ａ、６８Ｂ  係止孔
７０、７０Ａ、７０Ｂ  突起部
７２  モータ（一方の機器）
７４  一方の雄端子
７６  装置（他方の機器）
８０  他方の雄端子
【図１】
0006712385.tif 000002
【図２】
0006712385.tif 000003
【図３】
0006712385.tif 000004
【図４】
0006712385.tif 000005
【図５】
0006712385.tif 000006
【図６】
0006712385.tif 000007
【図７】
0006712385.tif 000008
【図８】
0006712385.tif 000009
【図９】
0006712385.tif 000010
【図１０】
0006712385.tif 000011
【図１１】
0006712385.tif 000012
【図１２】
0006712385.tif 000013
【図１３】
0006712385.tif 000014
【図１４】
0006712385.tif 000015
【図１５】
0006712385.tif 000016
【図１６】
0006712385.tif 000017
【図１７】
0006712385.tif 000018
【図１８】
0006712385.tif 000019
【図１９】
0006712385.tif 000020
【図２０】
0006712385.tif 000021
【図２１】
0006712385.tif 000022
【図２２】
0006712385.tif 000023
【図２３】
0006712385.tif 000024